(57)【特許請求の範囲】
【請求項１】
端末が複数の既知の信号の中から一つの信号を選択し、基地局が指定する領域内のいずれかの領域を使用して基地局に信号を送信する無線通信システムにおいて、
前記基地局は、隣接する他の基地局と同一の周波数領域及び同一の時間領域を、指定する前記領域として設定する設定部、
を備え、
前記設定部は、隣接基地局間で前記既知の信号が重複しないように前記既知の信号の範囲を割り当てることを特徴とする無線通信システム。
【請求項２】
前記設定部は、前記既知の信号により示される用途が隣接基地局間で重複しないように前記既知の信号の範囲を割り当てることを特徴とする請求項１記載の無線通信システム。
【請求項３】
前記設定部は、特定の周波数帯域に対して全時間領域を前記指定された領域に割り当てることで前記指定された領域を設定することを特徴とする請求項１記載の無線通信システム。
【請求項４】
前記設定部は、特定の時間領域に対して全周波数領域を前記指定された領域に割り当てることで前記指定された領域を設定することを特徴とする請求項１記載の無線通信システム。
【請求項５】
前記設定部は、前記指定された領域以外の領域を隣接基地局間で重複しないように分割することを特徴とする請求項３または４記載の無線通信システム。
【請求項６】
前記設定部は、隣接基地局間で異なる周波数領域を使用する第１の時間領域と全周波数領域を使用する第２の時間領域とに対して、前記指定された領域を前記第１の時間領域に割り当てることを特徴とする請求項１記載の無線通信システム。
【請求項７】
前記設定部は、前記指定された領域を、前記第１の時間領域全体のうち特定の周波数領域に割り当てることを特徴とする請求項６記載の無線通信システム。
【請求項８】
前記設定部は、前記第２の時間領域を隣接基地局間で重複しないように分割することを特徴とする請求項６記載の無線通信システム。
【請求項９】
前記設定部は、隣接基地局間で異なる周波数領域を使用する第１の時間領域と全周波数領域を使用する第２の時間領域に対して、前記指定された領域を前記第２の時間領域に割り当てることを特徴とする請求項１記載の無線通信システム。
【請求項１０】
前記設定部は、前記指定された領域を、前記第２の時間領域全体のうち特定の周波数領域に割り当てることを特徴とする請求項９記載の無線通信システム。
【請求項１１】
前記設定部は、前記指定された領域を、前記第２の時間領域のうち全周波数領域を使用する特定の時間領域に割り当てることを特徴とする請求項９記載の無線通信システム。
【請求項１２】
前記設定部は、前記第２の時間領域のうち前記指定された領域以外の領域を隣接基地局間で重複しないように分割することを特徴とする請求項９記載の無線通信システム。
【請求項１３】
前記基地局は、さらに前記指定された領域を示す情報を前記端末に送信する送信部を備え、
前記端末は前記指定された領域において前記既知の信号のうち前記一つの信号を前記基地局に送信することを特徴とする請求項１記載の無線通信システム。
【請求項１４】
前記設定部は前記指定された領域を示す情報を含むＵＬ‐ＭＡＰ  ＩＥを生成し、前記送信部は前記ＵＬ‐ＭＡＰ  ＩＥを前記端末に送信し、
前記端末は前記ＵＬ‐ＭＡＰ  ＩＥにより指定されたＵＬサブフレーム内の前記指定された領域に前記既知の信号のうちの前記一つの信号を前記既知局に送信することを特徴とする請求項１３記載の無線通信システム。
【請求項１５】
前記基地局は、さらに前記指定された領域を示す情報と、前記割り当てた既知の信号の範囲とを前記端末に送信する送信部を備え、
前記端末は前記指定された領域において前記割り当てられた既知の信号の範囲から前記一つの信号を前記基地局に送信することを特徴とする請求項２記載の無線通信システム。
【請求項１６】
前記設定部は、前記指定された領域を示す情報を含むＵＬ‐ＭＡＰ  ＩＥを生成するとともに、前記割り当てた既知の信号の範囲を含むＵＣＤメッセージを生成し、前記送信部は前記ＵＬ‐ＭＡＰ  ＩＥと前記ＵＣＤメッセージとを前記端末に送信し、
前記端末は前記ＵＬ‐ＭＡＰ  ＩＥにより指定されたＵＬサブフレーム内の前記指定された領域に、前記ＵＣＤメッセージに含まれた前記既知の信号の範囲から前記一つの信号を前記基地局に送信することを特徴とする請求項１５記載の無線通信システム。
【請求項１７】
前記既知の信号はＣＤＭＡ  Ｃｏｄｅであることを特徴とする請求項１記載の無線通信システム。
【請求項１８】
複数の既知の信号の中から一つの信号が端末で選択され、指定した領域内のいずれかの領域を使用して前記端末から送信された信号を受信する基地局において、
隣接する他の基地局と同一の周波数領域及び同一の時間領域を、指定する前記領域として設定する設定部、
を備え、
前記設定部は、隣接基地局間で前記既知の信号が重複しないように前記既知の信号の範囲を割り当てることを特徴とする基地局。
【請求項１９】
複数の既知の信号の中から一つの信号が端末で選択され、指定した領域内のいずれかの領域を使用して前記端末から送信された信号を受信する基地局における送信方法であって、
隣接する他の基地局と同一の周波数領域及び同一の時間領域を、指定する前記領域として設定し、
隣接基地局間で前記既知の信号が重複しないように前記既知の信号の範囲を割り当てることを特徴とする送信方法。
【発明の詳細な説明】
【技術分野】
【０００１】
本発明は、無線通信システム、基地局、及び送信方法に関する。
【背景技術】
【０００２】
基地局装置（以下、基地局ＢＳ（Base Station））と端末装置（以下、端末ＭＳ（Mobile Station））との間の通信方式として、８０２．１６ｄ（例えば、以下の非特許文献１）や８０２．１６ｅ（例えば、以下の非特許文献２）などが規定される。
【０００３】
図１は８０２．１６ｄ／ｅによる通信方式のサービスイメージの例を示す図である。１台の基地局ＢＳ１００は複数の端末ＭＳ２００‐１〜２００‐３と接続される。８０２．１６ｄ／ｅによる通信方式は、Ｐ‐ＭＰ（Point-to-Multipoint）型接続を基本とする。
【０００４】
図１４は８０２．１６ｄ／ｅにおけるフレームの構成例を示す図である。縦軸は周波数、横軸は時間を示す。各フレームは、ＤＬサブフレームとＵＬサブフレームから構成される。ＤＬサブフレームのＤＬ‐ＭＡＰとＵＬ‐ＭＡＰには、ＤＬサブフレームとＵＬサブフレームの構成情報や通信制御の情報が記述される。基地局ＢＳからＤＬサブフレームを受信した端末ＭＳはＤＬ‐ＭＡＰやＵＬ‐ＭＡＰを参照して受信処理や送信処理を行う。
【０００５】
また、ＵＬサブフレームにはＣＤＭＡ  Ｒｅｇｉｏｎが設定される。端末ＭＳは、この領域において、ＣＤＭＡ  Ｃｏｄｅと呼ばれる２５６パターンのコードの中から一つを選択して基地局ＢＳに送信する。ＣＤＭＡ  Ｃｏｄｅは、Ｉｎｉｔｉａｌ  Ｒａｎｇｉｎｇ、Ｐｅｒｏｄｉｃ  Ｒａｎｇｉｎｇ、Ｂａｎｄｗｉｔｈ  Ｒｅｑｕｅｓｔ、及びＨａｎｄｏｖｅｒ＿Ｒａｎｇｉｎｇの４つの用途に分けられ、ＣＤＭＡ  Ｃｏｄｅの２５６パターンは４つの範囲で区切られる。
【０００６】
このＣＤＭＡ  Ｒｅｇｉｏｎの位置は、ＤＬサブフレームのＵＬ‐ＭＡＰの中のＵＬ‐ＭＡＰ  ＩＥにて指定される。また、ＣＤＭＡ  Ｒｅｇｉｏｎの用途もＵＬ‐ＭＡＰ  ＩＥにて同時に指定される。図１５は、ＵＬ‐ＭＡＰ  ＩＥの例を示す図である。ＣＤＭＡ  Ｒｅｇｉｏｎの位置は、「ＯＦＤＭＡ  Ｓｙｍｂｏｌ  ｏｆｆｓｅｔ」、「Ｓｕｂｃｈａｎｎｅｌ  ｏｆｆｓｅｔ」、「Ｎｏ．ＯＦＤＭＡ  Ｓｙｍｂｏｌｓ」、及び「Ｎｏ．Ｓｕｂｃｈａｎｎｅｌｓ」で指定される。すなわち、「ＯＦＤＭＡ  Ｓｙｍｂｏｌ  ｏｆｆｓｅｔ」、「Ｓｕｂｃｈａｎｎｅｌ  ｏｆｆｓｅｔ」により、「Ｐｒｅａｍｂｌｅ」からＣＤＭＡ  Ｒｅｇｉｏｎの開始位置までのオフセットが指定され、「Ｎｏ．ＯＦＤＭＡ  Ｓｙｍｂｏｌｓ」、及び「Ｎｏ．Ｓｕｂｃｈａｎｎｅｌｓ」によりＣＤＭＡ  Ｒｅｇｉｏｎ内のシンボル数とサブチャネル数がそれぞれ指定される。
【０００７】
また、ＣＤＭＡ  Ｒｅｇｉｏｎの用途は、「Ｒａｎｇｉｎｇ  Ｍｅｔｈｏｄ」で指定される。「Ｒａｎｇｉｎｇ  Ｍｅｔｈｏｄ」で「００」や「０１」が指定されると、Ｉｎｉｔｉａｌ  Ｒａｎｇｉｎｇ及びＨａｎｄｏｖｅｒ＿Ｒａｎｇｉｎｇの用途を示し、「１０」や「１１」が指定されると、Ｂａｎｄｗｉｔｈ  Ｒｅｑｕｅｓｔ及びＰｅｒｉｏｄｉｃ  Ｒａｎｇｉｎｇの用途を示す。例えば、基地局ＢＳが「Ｒａｎｇｉｎｇ  Ｍｅｔｈｏｄ」に「００」を指定してＵＬ‐ＭＡＰ  ＩＥを送信すると、端末ＭＳがＩｎｉｔｉａｌ  Ｒａｎｇｉｎｇを行う必要があるとき、当該端末ＭＳはＵＬサブフレームのＣＤＭＡ  Ｒｅｇｉｏｎにおいて２５６パターンのうちＩｎｉｔｉａｌ  Ｒａｎｇｉｎｇを示すＣＤＭＡ  Ｃｏｄｅを基地局ＢＳに送信する。以後、基地局ＢＳと端末ＭＳでＩｎｉｔｉａｌ  Ｒａｎｇｉｎｇの処理が行われる。
【０００８】
ところで、無線通信システムでは、干渉やカバレッジ等を考慮して各基地局ＢＳへ周波数が割り当てられる。図１６（Ａ）は基地局間の構成例、同図（Ｂ）は周波数割り当ての一例をそれぞれ示す図である。基地局ＢＳ１〜ＢＳ３に対してそれぞれ周波数帯域ｆ１〜ｆ３が割り当てられて、隣接基地局では異なる周波数帯域が使用される。この場合、周波数帯域はｆ１〜ｆ３と分割されるため、各基地局ＢＳで使用できる周波数帯域はその分小さくなる。しかし、隣接基地局ＢＳで異なる周波数が割り当てられているため、干渉は低減され、セルエッジに存在する端末ＭＳの無線環境が向上し、全基地局で同一周波数を使用する場合よりもカバレッジを確保できる。
【０００９】
一方、ＷｉＭＡＸ  Ｆｏｒｕｍにおいて８０２．１６ｄ／ｅに基づく無線通信システムにおける周波数帯域の利用形態の一つとしてＦＦＲ（Fractional Frequency Reuse）がある（例えば、以下の非特許文献３）。図１７（Ａ）は基地局間の構成例、同図（Ｂ）はＦＦＲによる周波数割り当ての例をそれぞれ示す図である。
【００１０】
ＦＦＲは同図に示すように各基地局ＢＳのフレームを２つの時間領域（Ｒ１  Ｚｏｎｅ、Ｒ３  Ｚｏｎｅ）に分割し、一方のＺｏｎｅ（Ｒ１  Ｚｏｎｅ）では全周波数帯域を割り当て、他方のＺｏｎｅ（Ｒ３  Ｚｏｎｅ）では隣接基地局で異なる周波数を割り当てる。Ｒ１  Ｚｏｎｅでは多くの周波数帯域を使用できるためスループットの向上を図ることができ、Ｒ３  Ｚｏｎｅではカバレッジを確保でき、ＦＦＲはこの両者の両立を図ることができる。
【００１１】
このように周波数の割り当てには、例えば、隣接基地局で異なる周波数を割り当てるもの（図１６（Ａ）及び同図（Ｂ））と、ＦＦＲ（図１７（Ａ）及び同図（Ｂ））とがある。
【００１２】
図１８（Ａ）は基地局間の構成例、同図（Ｂ）はＵＬサブフレームの例を示す図である。同図（Ｂ）に示すように、隣接基地局で異なる周波数を割り当てる場合、ＵＬサブフレームのＣＤＭＡ  Ｒｅｇｉｏｎ（図１４）は、各基地局ＢＳで割り当てられた周波数の一部が使用される。一方、ＦＦＲの場合、ＣＤＭＡ  ＲｅｇｉｏｎはＲ３  Ｚｏｎｅにおいて各基地局ＢＳに割り当てられた周波数の一部が使用される。  
【非特許文献１】IEEE Std 802.16TM-2004
【非特許文献２】IEEE Std 802.16eTM-2005
【非特許文献３】Mobile WiMAX-Part I: A Technical Overview and Performance Evaluation (August, 2006)
【発明の開示】
【発明が解決しようとする課題】
【００１３】
しかしながら、ＣＤＭＡ  Ｒｅｇｉｏｎは、端末ＭＳのＲａｎｇｉｎｇやＢａｎｄｗｉｔｈ‐Ｒｅｑｕｅｓｔなどの用途に使用されるため必要な領域ではあるものの、基地局ＢＳに割り当てられた周波数の一部が使用されるため、端末ＭＳのデータ送信のための領域がその分小さくなるという問題がある。データ送信の領域が小さいと送信できるデータ量も少なくなり、様々なサービスの提供も滞ることも考えられる。
【００１４】
そこで、本発明は上記問題点に鑑みてなされたもので、その目的は端末のデータ送信のための領域を拡大した無線通信システム、基地局、及び送信方法を提供することにある。
【課題を解決するための手段】
【００１５】
上記目的を達成するために、本発明の一実施態様によれば、端末が複数の既知の信号の中から一つの信号を選択し、基地局が指定する領域内のいずれかの領域を使用して基地局に信号を送信する無線通信システムにおいて、基地局は、隣接する他の基地局と同一の周波数領域及び同一の時間領域を、指定する前記領域として設定する設定部を備える。
【００１６】
また、上記目的を達成するために、本発明の他の実施態様によれば、複数の既知の信号の中から一つの信号が端末で選択され、指定した領域内のいずれかの領域を使用して前記端末から送信された信号を受信する基地局において、隣接する他の基地局と同一の周波数領域及び同一の時間領域を、指定する前記領域として設定する設定部を備える。
【００１７】
さらに、上記目的を達成するために、本発明の他の実施態様によれば、複数の既知の信号の中から一つの信号が端末で選択され、指定した領域のうちいずれかの領域を使用して前記端末から送信された信号を受信する基地局における送信方法であって、隣接する他の基地局と同一の周波数領域及び同一の時間領域を、指定する前記領域として設定する。
【発明の効果】
【００１８】
本発明によれば、端末のデータ送信のための領域を拡大した無線通信システム、基地局、及び送信方法を提供できる。
【発明を実施するための最良の形態】
【００１９】
以下、図面を参照して本発明を実施するための最良の形態を説明する。図１は無線通信システム１０によるサービスイメージを示す。１つの基地局ＢＳ１００は複数の端末ＭＳ２００‐１〜２００‐３と接続され、基地局ＢＳ１００と端末ＭＳ２００‐１〜２００‐３間で無線通信が行われる。
【００２０】
図２は基地局ＢＳ１００の構成例を示す図である。基地局ＢＳ１００は、ＮＷインタフェース部１０１と、パケット識別部１０２と、パケットバッファ部１０３と、ＰＤＵ生成部１０４と、送信部１０５と、ＭＡＰ情報生成部１０６と、制御メッセージ生成部１０７と、制御部１０８と、デュプレクサ１１１と、アンテナ１１２と、受信部１１３と、Ｃｏｄｅ受信部１１４と、制御メッセージ抽出部１１５、及びパケット生成部１１６を備える。また、制御部１０８は記憶部１０９を備える。
【００２１】
ＮＷインタフェース部１０１は、ネットワークからパケットを受信したり、パケットをネットワークに送信したりする。パケット識別部１０２は、ＮＷインタフェース部１０１からのパケットに対してどのようなパケットかを識別する。パケットバッファ部１０３はパケット識別部１０２からのパケットを一時記憶する。
【００２２】
ＰＤＵ生成部１０４は、パケットバッファ部１０３からパケットを読み出し、ＰＤＵ（Protocol Data Unit）を生成する。また、ＰＤＵ生成部１０４は、ＭＡＰ情報生成部１０６で生成されたＭＡＰ情報や、制御メッセージ生成部１０７で生成された制御メッセージからＰＤＵを生成する。
【００２３】
送信部１０５はＰＤＵ生成部１０４からのＰＤＵに対して所定の変調等を行いデュプレクサ１１１に出力する。変調等された信号はデュプレクサ１１１を介してアンテナ１１２から端末ＭＳ２００に向けて無線送信される。
【００２４】
ＭＡＰ情報生成部１０６は、無線フレームにおけるＵＬ‐ＭＡＰ（ＭＡＰ情報）を生成する。ＣＤＭＡ  Ｒｅｇｉｏｎが指定されたＵＬ‐ＭＡＰ  ＩＥはこのＭＡＰ情報生成部１０６で生成される。ＭＡＰ情報生成部１０６はこのＵＬ‐ＭＡＰ  ＩＥを含むＵＬ‐ＭＡＰメッセージを生成してＰＤＵ生成部１０４に出力する。
【００２５】
制御メッセージ生成部１０７は、端末ＭＳ２００への制御メッセージを生成する。ＣＤＭＡ  Ｃｏｄｅの配分に関する情報（以下、ＣＤＭＡ  Ｃｏｄｅ情報）を含むＵＣＤメッセージはこの制御メッセージ生成部１０７で生成される。制御メッセージ生成部１０７は生成したＵＣＤメッセージをＰＤＵ生成部１０４に出力する。ＣＤＭＡ  Ｃｏｄｅ情報の詳細は後述する。
【００２６】
制御部１０８は、ＭＡＰ情報生成部１０６や制御メッセージ生成部１０７等と接続され、記憶部１０９に記憶された情報の出力等を行う。記憶部１０９は制御部１０８内に位置し、ＣＤＭＡ  Ｒｅｇｉｏｎ情報やＣＤＭＡ  Ｃｏｄｅ情報等を記憶する。これらの詳細は後述する。
【００２７】
また、受信部１１３は、アンテナ１１２、デュプレクサ１１１を介して端末ＭＳ２００から送信された無線信号が入力され、復調等を行い、復調等された信号をＣｏｄｅ受信部１１４と制御メッセージ抽出部１１５に出力する。
【００２８】
Ｃｏｄｅ受信部１１４は、端末ＭＳからのＣＤＭＡ  Ｃｏｄｅを受信し、制御部１０８に出力する。ここで、Ｃｏｄｅ受信部１１４は、ＵＬ‐ＭＡＰ  ＩＥで指定したＣＤＭＡ  ＲｅｇｉｏｎにおいてＵＣＤメッセージで指定したＣＤＭＡ  Ｃｏｄｅ以外のＣｏｄｅを受信した場合はそのＣｏｄｅを廃棄する。詳細は後述する。
【００２９】
制御メッセージ抽出部１１５は、端末ＭＳ２００から送信されたＭＡＣ  Ｍａｎａｇｅｍｅｎｔメッセージ等の制御メッセージを抽出する。抽出した制御メッセージは制御部１０８に出力する。
【００３０】
パケット生成部１１６は、制御メッセージ抽出部１１５から制御メッセージ以外のデータが入力されネットワークへ送信できるパケットに変換し、ＮＷインタフェース部１０１に出力する。
【００３１】
次に、このように構成された基地局ＢＳ１００、及び端末ＭＳ２００を含む無線通信システム１０の動作について説明する。
【００３２】
本実施例では、ＵＬサブフレームにおけるＣＤＭＡ  Ｒｅｇｉｏｎは隣接する他の基地局との間で共有される。即ち、隣接する複数の基地局は、同じ時間領域及び同じ周波数領域をＣＤＭＡ  Ｒｅｇｉｏｎとして用いる。例えば、図４（Ｂ）に示すように、隣接無線基地局ＢＳ１〜ＢＳ３は、共通の（又は一部重複した）時間領域及び周波数領域にＣＤＭＡ  Ｒｅｇｉｏｎを設定し、端末ＭＳはこの時間領域及び周波数領域においてＣＤＭＡ  Ｃｏｄｅを基地局ＢＳに送信する。かかるＣＤＭＡ  Ｒｅｇｉｏｎの指定は基地局ＢＳ１００のＭＡＰ情報生成部１０６で行われ、ＵＬ‐ＭＡＰ  ＩＥの「ＯＦＤＭＡ  Ｓｙｍｂｏｌ  ｏｆｆｓｅｔ」、「Ｓｕｂｃｈａｎｎｅｌ  ｏｆｆｓｅｔ」、「Ｎｏ．ＯＦＤＭＡ  Ｓｙｍｂｏｌｓ」、及び「Ｎｏ．Ｓｕｂｃｈａｎｎｅｌｓ」（図１５参照）を指定することにより行われる。すなわち、ＭＡＰ情報生成部１０６が４つのパラメータを含むＵＬ‐ＭＡＰ  ＩＥを生成することで、共有化されたＣＤＭＡ  Ｒｅｇｉｏｎが設定される。
【００３３】
基地局ＢＳはかかるＵＬ‐ＭＡＰ  ＩＥを端末ＭＳに送信し、端末ＭＳは、必要な場合、共有化されたＣＤＭＡ  ＲｅｇｉｏｎにおいてＣＤＭＡ  Ｃｏｄｅを送信し、以後レンジング等の処理が行われる。
【００３４】
このとき、端末ＭＳは、ＣＤＭＡ  Ｒｅｇｉｏｎが共有化されているため、同一の時間に同一の周波数で隣接基地局ＢＳに対しても、接続基地局ＢＳに対して送信したＣＤＭＡ  Ｃｏｄｅを送信する。とくに、端末ＭＳがセルエッジに存在すると、隣接基地局ＢＳがかかるＣＤＭＡ  Ｃｏｄｅを受信し、当該隣接基地局ＢＳは本来とは異なる動作をする場合がある。
【００３５】
そこで、好ましくは、本実施例では、隣接基地局ＢＳが端末ＭＳからのＣＤＭＡ  Ｃｏｄｅの受信を回避するため、隣接基地局ＢＳにおいて異なるＣＤＭＡ  Ｃｏｄｅが使用されるように設定する（図１０〜図１２参照）。かかる設定は、基地局ＢＳ１００の制御メッセージ生成部１０７がＣＤＭＡ  Ｃｏｄｅ情報が挿入されたＵＣＤメッセージを生成することで行われる。
【００３６】
まず、以下では、ＵＬ‐ＭＡＰ  ＩＥの生成（共有化したＣＤＭＡ  Ｒｅｇｉｏｎの生成）処理について説明し、次いでＵＣＤメッセージ生成（隣接基地局で異なるＣＤＭＡ  Ｃｏｄｅの生成）処理について説明する。
【００３７】
なお、端末ＭＳは、先にＵＣＤメッセージを受信してＣＤＭＡ  Ｃｏｄｅ情報を得て、次いでＵＬ‐ＭＡＰ  ＩＥを受信してＣＤＭＡ  Ｒｅｇｉｏｎに分配されたＣＤＭＡ  Ｃｏｄｅのいずれかを使用することになる。説明の容易を考慮して、先にＵＬ‐ＭＡＰ  ＩＥの生成について述べることにする。
＜１．共有化したＣＤＭＡ  Ｒｅｇｉｏｎの生成＞
図３（Ａ）はＵＬ‐ＭＡＰ  ＩＥの生成処理のフローチャートを示し、同図（Ｂ）は記憶部１０９に記憶されたＣＤＭＡ  Ｒｅｇｉｏｎ情報の例を示す。
【００３８】
ＭＡＰ情報生成部１０６は本処理を開始すると（Ｓ１０）、ＣＤＭＡ  Ｒｅｇｉｏｎ設定の対象フレームか否かを判断する（Ｓ１１）。例えば、ＭＡＰ情報生成部１０６は、フレーム数を順次カウントし、カウント値がＣＤＭＡ  Ｒｅｇｉｏｎを設定する周期に該当するか否かで判断する。例えば記憶部１０９に記憶されたＣＤＭＡ  Ｒｅｇｉｏｎ情報のうち「ＣＤＭＡ  Ｒｅｇｉｏｎ設定周期」を制御部１０８が読み出し、制御部１０８がＭＡＰ情報生成部１０６に出力することでＭＡＰ情報生成部１０６は周期の値を得る。
【００３９】
ＣＤＭＡ  Ｒｅｇｉｏｎ設定の対象のフレームでないとき（Ｓ１１でＮｏ）、ＭＡＰ情報生成部１０６は、一連の処理を終了する（Ｓ１４）。
【００４０】
一方、ＣＤＭＡ  Ｒｅｇｉｏｎ設定の対象のフレームのとき（Ｓ１１でＹｅｓ）、ＭＡＰ情報生成部１０６は、記憶部１０９に記憶されたＣＤＭＡ  Ｒｅｇｉｏｎの領域の情報（図１３（Ｂ）の「ＯＦＤＭＡ  Ｓｙｍｂｏｌ  ｏｆｆｓｅｔ」から「Ｎｏ．Ｓｕｂｃｈａｎｎｅｌｓ」までの情報）を取得する（Ｓ１２）。ＭＡＰ情報生成部１０６はこれら４つのパラメータの値を指定したＵＬ‐ＭＡＰ  ＩＥを生成し、さらに、各基地局ＢＳのＭＡＰ情報生成部１０６が同期をとって同じＵＬ‐ＭＡＰ  ＩＥを生成して端末ＭＳに一斉に送信することで、ＵＬサブフレームにおいて共有化されたＣＤＭＡ  Ｒｅｇｉｏｎが設定される。尚、このＣＤＭＡ  Ｒｅｇｉｏｎ情報は、例えばシステムのオペレータにより記憶部１０９へ記憶される。
【００４１】
次いで、ＭＡＰ情報生成部１０６はＵＬ‐ＭＡＰ  ＩＥを生成する（Ｓ１３）。ＭＡＰ情報生成部１０６は、例えば図１５に示すＵＬ‐ＭＡＰ  ＩＥを生成する。
【００４２】
そして、ＭＡＰ情報生成部１０６は一連の処理を終了する（Ｓ１４）。
【００４３】
図４ないし図８は共有化されたＣＤＭＡ  Ｒｅｇｉｏｎの例を示す図である。このうち、図４及び図５は隣接基地局でＣＤＭＡ  Ｒｅｇｉｏｎを除いて、ＭＡＰデータにより定義されるバースト領域で送信するバーストデータの送信帯域として、異なる周波数帯域を割り当てた場合のＣＤＭＡ  Ｒｅｇｉｏｎの例、図６ないし図８はＦＦＲの例である。ＣＤＭＡ  Ｒｅｇｉｏｎはどの端末ＭＳも基地局ＢＳの指定なく信号を送信できるコンテンション領域である。端末ＭＳは複数の既知のＣＤＭＡ  Ｃｏｄｅの中から一つのコードを選択し、基地局ＢＳが指定するコンテンション領域内のいずれかの領域を使用して基地局ＢＳにコードを送信する。
【００４４】
図４（Ａ）は基地局間の構成例、同図（Ｂ）はＣＤＭＡ  Ｒｅｇｉｏｎがある周波数帯域において共有化された場合のＵＬサブフレームの例を示す図である。ＣＤＭＡ  Ｒｅｇｉｏｎ以外の領域はデータ領域として使用され、基地局ＢＳ１〜ＢＳ３は夫々「ｆ１’」〜「ｆ３’」の周波数帯域が割り当てられる。
【００４５】
ここで、データ領域の拡大について説明する。例えば、ＣＤＭＡ  Ｒｅｇｉｏｎは６サブチャネル、各基地局ＢＳ１〜ＢＳ３は１０サブチャネルの領域（全部で３０サブチャネル）が割り当てられるとする。基地局ＢＳ１に着目すると、共有化しない場合（図１８（Ｂ））、データ領域は４サブチャネルである。一方、共有化した場合（図４（Ｂ））、データ領域は８サブチャネル（＝（３０−６）÷３）となる。よって、共有化しない場合と比較して、共有化した場合、基地局ＢＳ１に割り当てられるデータ領域は拡大する。従って、ＣＤＭＡ  Ｒｅｇｉｏｎが隣接基地局で同時に割り当てられ、その周波数領域及び時間領域を共有することで、端末ＭＳのデータ送信のための領域が拡張される。これにより、スループットも向上し、様々はサービスも提供でき利用できる。
【００４６】
なお、データ領域の指定は、ＣＤＭＡ  Ｒｅｇｉｏｎの指定と同様に、ＵＬ‐ＭＡＰ  ＩＥにて指定される。この場合、データ領域を割り当てる端末ＭＳにスロット数を指定する。例えば、基地局ＢＳ１は、ＣＤＭＡ  Ｒｅｇｉｏｎを指定する場合は、「ｆ１’」の範囲内での端末ＭＳへのデータ領域の割り当てを行う。
【００４７】
また、ＣＤＭＡ  ＲｅｇｉｏｎはＵＬサブフレームにおいて毎フレーム指定する必要はない。レンジングや帯域要求の処理は頻繁に行われる処理ではないからである。よって、各フレームにおいて、ＵＬサブフレームにＣＤＭＡ  Ｒｅｇｉｏｎが指定される場合と指定されない場合があってもよい。
【００４８】
さらに、ＣＤＭＡ  Ｒｅｇｉｏｎを設定する場合、ＣＤＭＡ  Ｒｅｇｉｏｎは時間領域が各基地局ＢＳ１〜Ｂ３で同じ領域を使用するため、各基地局ＢＳ１〜ＢＳ３はフレームの同期をとり、共通のＵＬ‐ＭＡＰ  ＩＥを送信する必要がある。これについては後述する。
【００４９】
図５（Ａ）は基地局間の構成例、同図（Ｂ）は共有化したＣＤＭＡ  Ｒｅｇｉｏｎが、ある時間領域に指定された例である。この場合も、各基地局ＢＳ１〜ＢＳ３のデータ領域（バーストデータ領域）は、共有化しない場合（図１８（Ｂ））と比較して広がっている。尚、ＣＤＭＡ  Ｒｅｇｉｏｎは、基地局ＢＳ１，ＢＳ２，ＢＳ３がバーストデータの送信に利用する周波数帯域全体に渡って設定されているが、この一部とすることもできる。
【００５０】
図６（Ａ）は基地局間の構成例、同図（Ｂ）はＦＦＲによる場合のＵＬサブフレームの例を示す。ＣＤＭＡ  Ｒｅｇｉｏｎは、Ｒ３  Ｚｏｎｅ（第１の期間）のある周波数帯域に隣接基地局ＢＳ１〜ＢＳ３で共有化して割り当てられる。尚、ＦＦＲでは、第１の期間では、隣接する複数の基地局は異なる送信帯域を利用してバーストデータの送信を行い、第２の期間では、隣接する複数の基地局は送信周波数帯域を共有する（図では、ｆ１’〜ｆ３’が享有されている）。
【００５１】
図７（Ａ）は基地局間の構成例、同図（Ｂ）及び同図（Ｃ）はＦＦＲによる場合のＵＬサブフレームの例を示す。ＣＤＭＡ  ＲｅｇｉｏｎはＲ１  Ｚｏｎｅ（第２の期間）のある周波数帯域に隣接基地局ＢＳ１〜ＢＳ３で共有化して割り当てられる。Ｒ３  Ｚｏｎｅでのみデータを送信できる端末ＭＳもＣＤＭＡ  Ｃｏｄｅを送信できる。  
【００５２】
また、図８（Ａ）は基地局間の構成例、同図（Ｂ）及び同図（Ｃ）はＦＦＲによる場合のＵＬサブフレームの例を示す。ＣＤＭＡ  Ｒｅｇｉｏｎは、Ｒ１  Ｚｏｎｅ（第２の期間）のある時間領域に共有化して割り当てられる。
＜２．ＣＤＭＡ  Ｃｏｄｅの割り当て＞
次に、ＣＤＭＡ  Ｃｏｄｅの割り当てについて説明する。上述したように、基地局ＢＳ１００は既知の信号であるＣＤＭＡ  Ｃｏｄｅを隣接基地局ＢＳで異なるように割り当て、かかる情報をＵＣＤメッセージに挿入して端末ＭＳに送信する。
【００５３】
ＣＤＭＡ  Ｃｏｄｅは上述したように全部で２５６パターンあり、Ｉｎｉｔｉａｌ  Ｒａｎｇｉｎｇ、Ｐｅｒｉｏｄｉｃ  Ｒａｎｇｉｎｇ、Ｂａｎｄｗｉｔｈ  Ｒｅｑｕｅｓｔ、及びＨａｎｄｏｖｅｒ  Ｒａｎｇｉｎｇの４つの用途で範囲が区切られる。
【００５４】
ここで、Ｉｎｉｔｉａｌ  Ｒａｎｇｉｎｇとは、端末ＭＳが基地局ＢＳに接続するときに送信電力の調整や時間軸のずれ、及び周波数のずれの修正を行う処理である。ＣＤＭＡ  ＣｏｄｅのうちＩｎｉｔｉａｌ  Ｒａｎｇｉｎｇ  Ｃｏｄｅはその処理のときに端末ＭＳから基地局ＢＳに送信する信号である。
【００５５】
Ｐｅｒｉｏｄｉｃ  Ｒａｎｇｉｎｇとは、基地局ＢＳに接続している端末ＭＳが定期的に送信電力の調整や時間のずれ、及び周波数のずれの修正を行う処理である。Ｐｅｒｉｏｄｉｃ  Ｒａｎｇｉｎｇ  Ｃｏｄｅは、その処理のときに端末ＭＳから基地局ＢＳに送信する信号である。
【００５６】
Ｂａｎｄｗｉｔｈ  Ｒｅｑｕｅｓｔとは、基地局ＢＳに接続している端末ＭＳが上り（端末ＭＳから基地局ＢＳ方向）の帯域割り当てを要求するときに最初に基地局ＢＳに送信する信号である。
【００５７】
そして、Ｈａｎｄｏｖｅｒ  Ｒａｎｇｉｎｇとは、端末ＭＳがハンドオーバを行うときにハンドオーバ先の基地局ＢＳとの間で送信電力の調整や時間軸のずれ、及び周波数のずれの修正を行う処理である。Ｈａｎｄｏｖｅｒ  Ｒａｎｇｉｎｇ  Ｃｏｄｅとは、その処理のときに端末ＭＳが基地局ＢＳに送信する信号である。
【００５８】
図９（Ａ）は割り当て情報を含むＵＣＤメッセージの生成処理を示すフローチャートであり、同図（Ｂ）は記憶部１０９に記憶されたＣＤＭＡ  Ｃｏｄｅ情報の例を示す。
【００５９】
基地局ＢＳの制御メッセージ生成部１０７は、本処理を開始すると（Ｓ２０）、ＵＣＤメッセージを送信するフレームか否かを判断する（Ｓ２１）。例えば、制御メッセージ生成部１０７はフレーム等の周期情報を保持し、カウントしたフレーム数が周期に達したか否かで判断する。
【００６０】
ＵＣＤメッセージを送信するフレームではないとき（Ｓ２１でＮｏ）、制御メッセージ生成部１０７は一連の処理を終了する（Ｓ２４）。
【００６１】
一方、ＵＣＤメッセージを送信するフレームのとき（Ｓ２１でＹｅｓ）、制御メッセージ生成部１０７は記憶部１０９に記憶しているＣＤＭＡ  Ｃｏｄｅ情報を取得し（Ｓ２２）、ＣＤＭＡ  Ｃｏｄｅ情報を含むＵＣＤメッセージを生成する（Ｓ２３）。そして、制御メッセージ生成部１０７は一連の処理を終了する（Ｓ２４）。
【００６２】
図９（Ｂ）に示すように、ＣＤＭＡ  Ｃｏｄｅ情報は全部で５つのパラメータからなる。「Ｓｔａｒｔ  ｏｆ  ｒａｎｇｉｎｇ  ｃｏｄｅｓ  ｇｒｏｕｐ」は使用するＲａｎｇｉｎｇ  ｃｏｄｅの範囲の先頭値を示し、「Ｉｎｉｔｉａｌ  ｒａｎｇｉｎｇ  ｃｏｄｅｓ」はＩｎｉｔｉａｌ  ｒａｎｇｉｎｇ  ｃｏｄｅ数を示し、「Ｐｅｒｉｏｄｉｃ  ｒａｎｇｉｎｇ  ｃｏｄｅｓ」はＰｅｒｉｏｄｉｃ  ｒａｎｇｉｎｇ  ｃｏｄｅ数を示し、「Ｂａｎｄｗｉｔｈ  ｒｅｑｕｅｓｔ  ｃｏｄｅｓ」はＢａｎｄｗｉｔｈ  ｒｅｑｕｅｓｔ  ｃｏｄｅ数を示し、「Ｈａｎｄｏｖｅｒ  ｒａｎｇｉｎｇ  ｃｏｄｅｓ」はＨａｎｄｏｖｅｒ  ｒａｎｇｉｎｇ  ｃｏｄｅ数を示す。これら各パラメータが隣接基地局ごとに指定されて、図１０に示すように、各基地局ＢＳ１〜ＢＳ３は同じＣＤＭＡ  Ｃｏｄｅの範囲に対して隣接基地局間で異なる用途（Ｉｎｉｔｉａｌ  Ｒａｎｇｉｎｇ、Ｐｅｒｉｏｄｉｃ  Ｒａｎｇｉｎｇ、Ｂａｎｄｗｉｔｈ  ｒｅｑｕｅｓｔ、Ｈａｎｄｏｖｅｒ  Ｒａｎｇｉｎｇの４つの用途）が割り当てられる。あるいは、使用する用途が隣接基地局間で重複しないようにＣＤＭＡ  Ｃｏｄｅの範囲が割り当てられる。
【００６３】
具体例で説明する。図１１はＣＤＭＡ  Ｃｏｄｅ情報の例、図１２はかかる情報によるＣＤＭＡ  Ｃｏｄｅの割り当て例を示す図である。図１１に示すように基地局ＢＳ１では、「Ｓｔａｒｔ  Ｏｆ  ｒａｎｇｉｎｇ  ｃｏｄｅｓ  ｇｒｏｕｐ」は「０」、つまり範囲の先頭はコード「０」であることを示す。そして、「Ｉｎｉｔｉａｌ  ｒａｎｇｉｎｇ  ｃｏｄｅｓ」は「４３」であるため、コード「０」から「４２」までがＩｎｉｔｉａｌ  ｒａｎｇｉｎｇ  Ｃｏｄｅとして基地局ＢＳ１に割り当てられる。また、「Ｐｅｒｉｏｄｉｃ  ｒａｎｇｉｎｇ  ｃｏｄｅｓ」は「４２」とあるため、コード「４３」から「８４」までの４２コード数分がＰｅｒｉｏｄｉｃ  ｒａｎｇｉｎｇ  ｃｏｄｅとして基地局ＢＳ２に割り当てられる。以下同様にして各レンジングコード等が割り当てられる。
【００６４】
また、基地局ＢＳ２では、「Ｓｔａｒｔ  Ｏｆ  ｒａｎｇｉｎｇ  ｃｏｄｅｓ  ｇｒｏｕｐ」は「８５」、つまり、基地局ＢＳ２に割り当てられるＣＤＭＡ  Ｃｏｄｅの範囲の先頭はコード「８５」から開始し、コード「８５」から「１２７」までの４３コード数分がＩｎｉｔｉａｌ  ｒａｎｇｉｎｇとなる。以下同様にして図１２に示すように割り当てられる。
【００６５】
基地局ＢＳ１は、Ｉｎｉｔｉａｌ  Ｒａｎｇｉｎｇとして「０」から「４２」までのコードが割り当てられ、基地局ＢＳ３では、同コードに対してＢａｎｄｗｉｔｈ  Ｒｅｑｕｅｓｔが割り当てられる。このように、隣接基地局ＢＳ１〜ＢＳ３では同一コード範囲に異なる種類の用途が割り当てられる。
【００６６】
図１０や図１２に示すように、同一コード範囲において隣接基地局で異なる用途が指定されるが、他方、ＵＬ‐ＭＡＰ  ＩＥのＲａｎｇｉｎｇ  Ｍｅｔｈｏｄ（図１５参照）ではＩｎｉｔｉａｌ  ＲａｎｇｉｎｇとＨａｎｄｏｖｅｒ  Ｒａｎｇｉｎｇとは共に「００」または「０１」と区別されず、これらはＢａｎｄｗｉｔｈ ＲｅｑｕｅｓｔとＰｅｒｉｏｄｉｃ  Ｒａｎｇｉｎｇとに対して区別される。本実施例では、同一コード範囲ではＲａｎｇｉｎｇ  Ｍｅｔｈｏｄで区別できる用途（例えば、Ｉｎｉｔｉａｌ  ＲａｎｇｉｎｇとＢａｎｄｗｉｔｈ  Ｒｅｑｕｅｓｔなど）を隣接基地局に割り当てるようにしている。
【００６７】
このようなＣＤＭＡ  Ｃｏｄｅの割り当てにより、共有化されたＣＤＭＡ  Ｒｅｇｉｏｎにおいて端末ＭＳがＣＤＭＡ  Ｃｏｄｅを送信し、隣接基地局ＢＳにおいてかかるコードを受信した場合、隣接基地局ＢＳは受信コードを破棄することができる。以下、この点について説明する。
【００６８】
上述したように共有化されたＣＤＭＡ  Ｒｅｇｉｏｎを指定したＵＬ‐ＭＡＰ  ＩＥは各隣接基地局ＢＳ１〜ＢＳ３から同期して共通のものが送信される。そして、ＵＬ‐ＭＡＰ  ＩＥには図１５に示すように、ＣＤＭＡ  Ｒｅｇｉｏｎの用途を示すＲａｎｇｉｎｇ  Ｍｅｔｈｏｄが指定される。端末ＭＳは、Ｒａｎｇｉｎｇ  Ｍｅｔｈｏｄにより指定されたレンジング等を行う必要があるときに、ＣＤＭＡ  ＲｅｇｉｏｎにおいてＣＤＭＡ  Ｃｏｄｅを基地局ＢＳに送信する。隣接基地局ＢＳ１〜ＢＳ３は同期して共通のＵＬ‐ＭＡＰ  ＩＥを送信し、各基地局ＢＳ１〜ＢＳ３配下の端末ＭＳのいくつかは同じレンジング等の処理を行う。
【００６９】
例えば、各基地局ＢＳ１〜ＢＳ３は、Ｒａｎｇｉｎｇ  Ｍｅｔｈｏｄに「００」を指定したＵＬ‐ＭＡＰ  ＩＥを、各基地局ＢＳ１〜ＢＳ３で同期して配下の端末ＭＳに送信する。基地局ＢＳ１配下の端末ＭＳがＩｎｉｔｉａｌ  Ｒａｎｇｉｎｇを行う場合に、例えば、コード「１０」を指定して共有化されたＣＤＭＡ  Ｒｅｇｉｏｎにおいて接続基地局ＢＳ１に送信する。
【００７０】
一方、隣接基地局ＢＳ２は、基地局ＢＳ１配下の端末ＭＳからコード「１０」のＣＤＭＡ  Ｃｏｄｅを受信した場合、図１２に示すように、コード「１０」は基地局ＢＳ２に割り当てられたものではないため、受信したコード「１０」を廃棄する。
【００７１】
また、隣接基地局ＢＳ３は、基地局ＢＳ１配下の端末ＭＳからコード「１０」のＣＤＭＡコードを受信した場合、ＵＬ‐ＭＡＰ  ＩＥによりＩｎｉｔｉａｌ  Ｒａｎｇｉｎｇを示す「００」を指定して送信したにも拘わらず、受信したコード「１０」は図１２に示すようにＢａｎｄｗｉｔｈ  Ｒｅｑｕｅｓｔ用のコードを受信し、ＵＬ‐ＭＡＰ  ＩＥのＲａｎｇｉｎｇ  Ｍｅｔｈｏｄにより指定した用途と、受信したＣＤＭＡ  Ｃｏｄｅの示す用途とが一致しない。このような場合、隣接基地局ＢＳ３では、受信したコードを破棄する。
【００７２】
この廃棄処理は、基地局ＢＳ１００のＣｏｄｅ受信部１１４（図２参照）で行われる。すなわち、ＵＬ‐ＭＡＰ  ＩＥのＲａｎｇｉｎ  Ｍｅｔｈｏｄに指定したコードと、割り当てられたＣＤＭＡ  Ｃｏｄｅとを制御部１０８の制御により記憶部１０９に記憶しておき、Ｃｏｄｅ受信部１１４は記憶部１０９からこれらの情報を読み出して、受信したコードを一致するか否か判断する。Ｃｏｄｅ受信部１１４は、受信したコードがいずれにも一致した場合は受信したコードを廃棄せず、受信したコードがいずれか一方でも一致しない場合、受信したコードを廃棄する。
＜３．他の実施例＞
図１３（Ａ）はＵＬ  ＭＡＰ  ＩＥに共有化されたＣＤＭＡ  Ｒｅｇｉｏｎを指定する場合のフローチャートを示し、同図（Ｂ）及び同図（Ｃ）はＵＬサブフレームの例を示す。この処理は、全基地局ＢＳが同期をとって同じフレームにＣＤＭＡ  Ｒｅｇｉｏｎを設定する場合の例である。
【００７３】
同図（Ａ）に示すように、ＭＡＰ情報生成部１０６は処理を開始すると（Ｓ３０）、フレーム数（ｆｒａｍｅ＿ｎｕｍｂｅｒ）を周期（Ｔｐ）で除算し余りが「０」になるか否かを判断する（Ｓ３１）。全基地局ＢＳで周期（Ｔｐ）時間に達したか否かが判断される。
【００７４】
余りが「０」のとき、すなわち基地局ＢＳ１００が周期（Ｔｐ）時間に達したとき（Ｓ３１でＹｅｓ）、ＵＬ‐ＭＡＰ  ＩＥにおいて共有化したＣＤＭＡ  Ｒｅｇｉｏｎを指定し（Ｓ３２）、基地局ＢＳに割り当てられたｆ１’領域において端末ＭＳのデータ送信のリソースを割り当てる（Ｓ３３）。これにより、図１３（Ｃ）に示すように、ＵＬサブフレームに共有化されたＣＤＭＡ  Ｒｅｇｉｏｎが割り当てられる。そして、ＭＡＰ情報生成部１０６は一連の処理を終了する（Ｓ３５）。ＣＤＭＡ  Ｒｅｇｉｏｎが指定されたＵＬ‐ＭＡＰ  ＩＥは全基地局ＢＳから同期して一斉に端末ＭＳに送信される。
【００７５】
一方、余りが「０」でないとき、すなわち基地局ＢＳ１００が周期（Ｔｐ）時間でないとき（Ｓ３１でＮｏ）、基地局ＢＳに割り当てられたｆ１領域に端末ＭＳのデータ送信のリソースを割り当てる（Ｓ３４）。この場合、図１３（Ｂ）に示すように、ＵＬサブフレームにはＣＤＭＡ  Ｒｅｇｉｏｎは指定されない。そして、ＭＡＰ情報生成部１０６は一連の処理を終了する（Ｓ３５）。
【００７６】
上述したように、ＣＤＭＡ  Ｒｅｇｉｏｎは毎フレーム指定してもよいが、レンジング処理等は頻繁に行われる処理ではない。本実施例では、基地局ＢＳ１００はある周期単位でＣＤＭＡ  Ｒｅｇｉｏｎを指定している。
【００７７】
上述した例は、隣接基地局ＢＳ１〜ＢＳ３同士で３つの周波数「ｆ１」〜「ｆ３」（又は「ｆ１’」〜「ｆ３’」）を割り当てる例で説明した。これは各基地局ＢＳ１〜ＢＳ３のアンテナの指向性に基づいて各セルが６つのセクタに分割されているからである。例えば、８つ、１２つと分割数が多くなるとそれに応じて割り当てる周波数の種類も４つ、５つと増加するが、その場合でも本実施例は適用可能である。ＣＤＭＡ  Ｒｅｇｉｏｎを隣接基地局で共有化し、ＣＤＭＡ  Ｃｏｄｅが隣接する基地局ＢＳで異なるコードが割り当てるようにすることに変更はないからである。
【００７８】
また、図４（Ｂ）等において、ある周波数領域や時間領域に共有化されたＣＤＭＡ  Ｒｅｇｉｏｎを指定するとき、これらの図に示すように、ＵＬサブフレームにおいて周波数の高い領域（図中、下側の領域）や、遅い時間領域（図中、右側の領域）に指定しているが、これ以外の任意の周波数領域や時間領域に共有化したＣＤＭＡ  Ｒｅｇｉｏｎを指定するようにしてもよい。
【００７９】
さらに、上述した例は、端末ＭＳとして携帯電話以外にも、ＰＤＡやパーソナルコンピュータ等の情報機器に適用してもよい。
【００８０】
以上まとめると付記のようになる。
【００８１】
（付記１）
端末が複数の既知の信号の中から一つの信号を選択し、基地局が指定する領域内のいずれかの領域を使用して基地局に信号を送信する無線通信システムにおいて、
前記基地局は、隣接する他の基地局と同一の周波数領域及び同一の時間領域を、指定する前記領域として設定する設定部、
を備えることを特徴とする無線通信システム。
【００８２】
（付記２）
前記設定部は、前記既知の信号により示される用途が隣接基地局間で重複しないように前記既知の信号の範囲を割り当てることを特徴とする付記１記載の無線通信システム。
【００８３】
（付記３）
前記設定部は、共通の前記既知の信号の範囲に対して前記既知の信号により示される用途が隣接基地局間で異なるように、前記既知の信号の範囲を割り当てることを特徴とする付記１記載の無線通信システム。
【００８４】
（付記４）
前記設定部は、特定の周波数帯域に対して全時間領域を前記指定された領域に割り当てることで前記指定された領域を設定することを特徴とする付記１記載の無線通信システム。
【００８５】
（付記５）
前記設定部は、特定の時間領域に対して全周波数領域を前記指定された領域に割り当てることで前記指定された領域を設定することを特徴とする付記１記載の無線通信システム。
【００８６】
（付記６）
前記設定部は、前記指定された領域以外の領域を隣接基地局で重複しないように分割することを特徴とする付記４または５記載の無線通信システム。
【００８７】
（付記７）
前記設定部は、隣接基地局間で異なる周波数領域を使用する第１の時間領域と全周波数領域を使用する第２の時間領域とに対して、前記指定された領域を前記第１の時間領域に割り当てることを特徴とする付記１記載の無線通信システム。
【００８８】
（付記８）
前記設定部は、前記指定された領域を、前記第１の時間領域全体のうち特定の周波数領域に割り当てることを特徴とする付記７記載の無線通信システム。
【００８９】
（付記９）
前記設定部は、前記第２の時間領域を隣接基地局間で重複しないように分割することを特徴とする付記７記載の無線通信システム。
【００９０】
（付記１０）
前記設定部は、隣接基地局間で異なる周波数領域を使用する第１の時間領域と全周波数領域を使用する第２の時間領域に対して、前記指定された領域を前記第２の時間領域に割り当てることを特徴とする付記１記載の無線通信システム。
【００９１】
（付記１１）
前記設定部は、前記指定された領域を、前記第２の時間領域全体のうち特定の周波数領域に割り当てることを特徴とする付記１０記載の無線通信システム。
【００９２】
（付記１２）
前記設定部は、前記指定された領域を、前記第２の時間領域のうち全周波数領域を使用する特定の時間領域に割り当てることを特徴とする付記１０記載の無線通信システム。
【００９３】
（付記１３）
前記設定部は、前記第２の時間領域のうち前記指定された領域以外の領域を隣接基地局間で重複しないように分割することを特徴とする請求項１０記載の無線通信システム。
【００９４】
（付記１４）
前記基地局は、さらに前記指定された領域を示す情報を前記端末に送信する送信部を備え、
前記端末は前記指定された領域において前記既知の信号のうち前記一つの信号を前記基地局に送信することを特徴とする付記１記載の無線通信システム。
【００９５】
(付記１５)
前記設定部は前記指定された領域を示す情報を含むＵＬ‐ＭＡＰ  ＩＥを生成し、前記送信部は前記ＵＬ‐ＭＡＰ  ＩＥを前記端末に送信し、
前記端末は前記ＵＬ‐ＭＡＰ  ＩＥにより指定されたＵＬサブフレーム内の前記指定された領域に前記既知の信号のうちの前記一つの信号を前記既知局に送信することを特徴とする付記１４記載の無線通信システム。
【００９６】
（付記１６）
前記基地局は、さらに前記指定された領域を示す情報と、前記割り当てた既知の信号の範囲とを前記端末に送信する送信部を備え、
前記端末は前記指定された領域において前記割り当てられた既知の信号の範囲から前記一つの信号を前記基地局に送信することを特徴とする付記２記載の無線通信システム。
【００９７】
（付記１７）
前記設定部は、前記指定された領域を示す情報を含むＵＬ‐ＭＡＰ  ＩＥを生成するとともに、前記割り当てた既知の信号の範囲を含むＵＣＤメッセージを生成し、前記送信部は前記ＵＬ‐ＭＡＰ  ＩＥと前記ＵＣＤメッセージとを前記端末に送信し、
前記端末は前記ＵＬ‐ＭＡＰ  ＩＥにより指定されたＵＬサブフレーム内の前記指定された領域に、前記ＵＣＤメッセージに含まれた前記既知の信号の範囲から前記一つの信号を前記基地局に送信することを特徴とする付記１６記載の無線通信システム。
【００９８】
(付記１８)
前記既知の信号はＣＤＭＡ  Ｃｏｄｅであることを特徴とする付記１記載の無線通信システム。
【００９９】
（付記１９）
複数の既知の信号の中から一つの信号が端末で選択され、指定した領域内のいずれかの領域を使用して前記端末から送信された信号を受信する基地局において、
隣接する他の基地局と同一の周波数領域及び同一の時間領域を、指定する前記領域として設定する設定部
を備えることを特徴とする基地局。
【０１００】
（付記２０）
複数の既知の信号の中から一つの信号が端末で選択され、指定した領域内のいずれかの領域を使用して前記端末から送信された信号を受信する基地局における送信方法であって、
隣接する他の基地局と同一の周波数領域及び同一の時間領域を、指定する前記領域として設定する、
ことを特徴とする送信方法。
【図面の簡単な説明】
【０１０１】
【図１】図１は無線通信システムのサービスイメージの例を示す図である。
【図２】図２は基地局の構成例を示す図である。
【図３】図３（Ａ）はＵＬ‐ＭＡＰ  ＩＥの生成処理のフローチャート、同図（Ｂ）は記憶部に記憶されたＣＤＭＡ  Ｒｅｇｉｏｎ情報の例を示す図である。
【図４】図４（Ａ）は基地局間の構成例、同図（Ｂ）はＵＬサブフレームの例を示す図である。
【図５】図５（Ａ）は基地局間の構成例、同図（Ｂ）はＵＬサブフレームの例を示す図である。
【図６】図６（Ａ）は基地局間の構成例、同図（Ｂ）及び同図（Ｃ）はＵＬサブフレームの例を示す図である。
【図７】図７（Ａ）は基地局間の構成例、同図（Ｂ）及び同図（Ｃ）はＵＬサブフレームの例を示す図である。
【図８】図８（Ａ）は基地局間の構成例、同図（Ｂ）及び同図（Ｃ）はＵＬサブフレームの例を示す図である。
【図９】図９（Ａ）はＵＣＤメッセージの生成処理のフローチャート、同図（Ｂ）は記憶部に記憶されたＣＤＭＡ  Ｃｏｄｅ情報の例を示す図である。
【図１０】図１０はＣＤＭＡ  Ｃｏｄｅの割り当て例を示す図である。
【図１１】図１１はＣＤＭＡ  Ｃｏｄｅ情報の例を示す図である。
【図１２】図１２は処理の例を説明するための図である。
【図１３】図１３（Ａ）はＵＬ  ＭＡＰ  ＩＥの他の生成処理のフローチャート、同図（Ｂ）及び同図（Ｃ）はＵＬサブフレームの例を示す図である。
【図１４】図１４はＤＬサブフレームとＵＬサブフレームの構成例を示す図である。
【図１５】図１５はＵＬ  ＭＡＰ  ＩＥの構成例を示す図である。
【図１６】図１６（Ａ）は基地局間の構成例、同図（Ｂ）は周波数割り当ての例を示す図である。
【図１７】図１７（Ａ）は基地局間の構成例、同図（Ｂ）及び同図（Ｃ）はＵＬサブフレームの構成例を示す図である。
【図１８】図１８（Ａ）は基地局間の構成例、同図（Ｂ）はＵＬサブフレームの構成例を示す図である。
【符号の説明】
【０１０２】
１０  無線通信システム、  １００  基地局、  １０１  ＮＷインタフェース部、  １０２  パケット識別部、  １０３  パケットバッファ部、  １０４  ＰＤＵ生成部、  １０５  送信部、  １０６  ＭＡＰ情報生成部、  １０７  制御メッセージ生成部、  １０８  制御部、  １０９  記憶部、  １１１  デュプレクサ、  １１２  アンテナ、  １１３  受信部、  １１４  Ｃｏｄｅ受信部、  １１５  制御メッセージ抽出部、  １１６  パケット生成部、  ２００（２００‐１〜２００‐３）  端末、  ＢＳ（ＢＳ１〜ＢＳ３）  基地局、  ＭＳ  端末
【図１】
0005167761.tif 000002
【図２】
0005167761.tif 000003
【図３】
0005167761.tif 000004
【図４】
0005167761.tif 000005
【図５】
0005167761.tif 000006
【図６】
0005167761.tif 000007
【図７】
0005167761.tif 000008
【図８】
0005167761.tif 000009
【図９】
0005167761.tif 000010
【図１０】
0005167761.tif 000011
【図１１】
0005167761.tif 000012
【図１２】
0005167761.tif 000013
【図１３】
0005167761.tif 000014
【図１４】
0005167761.tif 000015
【図１５】
0005167761.tif 000016
【図１６】
0005167761.tif 000017
【図１７】
0005167761.tif 000018
【図１８】
0005167761.tif 000019